(57)【要約】      （修正有）【課題】比較的狭い敷地であっても広い栽培面積で活用できて種々の農作物を栽培することのできる農作物栽培建物を提供する。【解決手段】農作物栽培建物１は、複数の床Ｒ１〜Ｒ４が積み上げられて成る複数階の建物２であって、１階の床Ｒ１には水を貯留する水田９が形成されて成る水耕栽培部１０が設けられ、２階以上の床Ｒ２〜Ｒ４には栽培用土が敷かれて成る果樹栽培部１１，１２および野菜栽培部１３が設けられている。水耕栽培部１０の一端側には水および農業用車両を入れるための入口部１５が形成され、水田９の他端側には少なくとも水を出すための出口部１６が形成されている。そして、各階の天井Ｓ１〜Ｓ４に照明装置７（１）〜７（４）が配備され、これらの照明装置７（１）〜７（４）に電力を供給する太陽光発電装置６が建物２の屋上２Ａに配備されている。【選択図】図２
0003203344.tif 000002
【実用新案登録請求の範囲】
【請求項１】
複数の床が積み上げられて成る複数階の建物であって、
１階の床には水を貯留する水田が形成されて成る水耕栽培部が設けられ、２階以上の床には栽培用土が敷かれて成る果樹栽培部または野菜栽培部が設けられていることを特徴とする農作物栽培建物。
【請求項２】
前記水耕栽培部の一端側には水および農業用車両を入れるための入口部が形成され、前記水田の他端側には少なくとも前記水を出すための出口部が形成されていることを特徴とする請求項１に記載の農作物栽培建物。
【請求項３】
各階の天井に照明装置が配備され、前記照明装置に電力を供給する太陽光発電装置が建物の屋上に配備されていることを特徴とする請求項１または請求項２に記載の農作物栽培建物。
【請求項４】
前記果樹栽培部および／または前記野菜栽培部に、栽培資材搬入口と農作物搬出口が形成され、前記栽培資材搬入口と前記農作物搬出口とを結ぶ床上に、ベルトコンベアが横設されていることを特徴とする請求項１から請求項３のいずれか一項に記載の農作物栽培建物。
【請求項５】
前記果樹栽培部および／または前記野菜栽培部を構成する建物の側壁に、側面開口が形成されるとともに、前記側面開口が透明な又は透光性を有するシート体で蓋われていることを特徴とする請求項１から請求項４のいずれか一項に記載の農作物栽培建物。
【請求項６】
発光装置、送風装置および散水装置が前記水耕栽培部に配備され、前記発光装置に対しては前記水耕栽培部で栽培されている水稲に向けて稲妻様光を照射させる制御信号を出力し、かつ、前記送風装置に対しては秒速１０ｍ以上秒速３０ｍ以下の風を前記水稲に向けて送風させる制御信号を出力し、かつ、前記散水装置に対しては１時間当たり２０ｍｍ〜３０ｍｍの雨量に相当する水を前記水稲に向けて散水させる制御信号を出力する制御装置を備えていることを特徴とする請求項１から請求項５のいずれか一項に記載の農作物栽培建物。
【考案の詳細な説明】
【技術分野】
【０００１】
本考案は、狭い敷地面積の土地であっても農作物を広く栽培できるようにした農作物栽培建物に関するものである。
【背景技術】
【０００２】
一般には、農作物の栽培は露地の土を耕して栽培床を形成し、この栽培床に種や苗を植えて生育させていた。ところが、栽培する地域や時期により日照量や土質などの状態が異なるため、農作物の生長がバラツキやすい。そこで、水分や栄養分の適切な供給量管理を容易にするために、下記の特許文献１に記載された栽培用ハウスが開発されている。
【先行技術文献】
【特許文献】
【０００３】
【特許文献１】特開２０１１−２３９７００号公報
【考案の概要】
【考案が解決しようとする課題】
【０００４】
しかしながら、ハウス栽培といえども、敷地の一面分にしか栽培できないため、一定面積の敷地を更に有効に活用して種々の農作物を大量生産するということができなかったのである。
【０００５】
本考案は、上記した従来の問題点に鑑みてなされたものであって、比較的狭い敷地であっても広い栽培面積で活用できて種々の農作物を栽培することのできる農作物栽培建物の提供を目的とする。
【課題を解決するための手段】
【０００６】
上記目的を達成するために、本考案に係る農作物栽培建物は、複数の床が積み上げられて成る複数階の建物であって、１階の床には水を貯留する水田が形成されて成る水耕栽培部が設けられ、２階以上の床には栽培用土が敷かれて成る果樹栽培部または野菜栽培部が設けられている構成にしてある。
【０００７】
また、前記構成において、水耕栽培部の一端側には水および農業用車両を入れるための入口部が形成され、水田の他端側には少なくとも水を出すための出口部が形成されているものである。
【０００８】
そして、前記した各構成において、各階の天井に照明装置が配備され、照明装置に電力を供給する太陽光発電装置が建物の屋上に配備されているものである。
【０００９】
更に、前記した各構成において、果樹栽培部および／または野菜栽培部に、栽培資材搬入口と農作物搬出口が形成され、栽培資材搬入口と農作物搬出口とを結ぶ床上に、ベルトコンベアが横設されているものである。
【００１０】
また、前記した各構成において、果樹栽培部および／または野菜栽培部を構成する建物の側壁に、側面開口が形成されるとともに、側面開口が透明な又は透光性を有するシート体で蓋われているものである。
【００１１】
そして、前記した各構成において、発光装置、送風装置および散水装置が水耕栽培部に配備され、発光装置に対しては水耕栽培部で栽培されている水稲に向けて稲妻様光を照射させる制御信号を出力し、かつ、送風装置に対しては秒速１０ｍ以上秒速３０ｍ以下の風を水稲に向けて送風させる制御信号を出力し、かつ、散水装置に対しては１時間当たり２０ｍｍ〜３０ｍｍの雨量に相当する水を水稲に向けて散水させる制御信号を出力する制御装置を備えているものである。
【考案の効果】
【００１２】
本考案に係る農作物栽培建物によれば、水を貯留する水田が形成されて成る水耕栽培部が１階の床に設けられ、栽培用土が敷かれて成る果樹栽培部または野菜栽培部が２階以上の床に設けられているので、使用する土地の面積が小さいにも拘わらず、その何倍もの面積で各種の農作物の栽培を行なうことができる。そのうえ、水田を有する水耕栽培部が１階に設けられているので、建物近隣の取水場から簡単かつ費用をかけることなく水耕栽培部に導水できる。また、水耕栽培部への水耕用資機材の搬入、搬出も簡単に行なうことができるという利点がある。
【００１３】
また、水耕栽培部の一端側に水および農業用車両を入れるための入口部が形成され、水田の他端側に少なくとも水を出すための出口部が形成されているものでは、建物近隣の取水場から簡単かつ費用をかけることなく入口部から水耕栽培部に導水できる。また、水耕栽培部への水耕用資機材、幼苗あるいは農業用車両などの搬入、搬出も簡単に行なうことができる。特に、農業用車両の出し入れができるということは、人力では困難な水稲栽培を効率よく行なううえで大きな利点となる。
【００１４】
そして、各階の天井に照明装置が配備され、照明装置に電力を供給する太陽光発電装置が建物の屋上に配備されているものでは、照明装置の照光により水耕栽培部、果樹栽培部および野菜栽培部の日照時刻および時間を自在に設定できるので、人工的な栽培施設での農産物の栽培に便利であり有用となる。また、照明装置の消費電力は太陽光発電装置からの電力で賄われるので、照明コストを安価に抑えることができる。
【００１５】
更に、果樹栽培部および／または野菜栽培部において栽培資材搬入口と農作物搬出口とを結ぶ床上に、ベルトコンベアが横設されているものでは、各栽培部での栽培用資機材の搬入および運搬が簡便になるし、収穫後の果樹や野菜の運搬、搬出も軽力で簡単に行なうことができる。
【００１６】
また、果樹栽培部および／または野菜栽培部の建物側壁に形成された側面開口が、透明な又は透光性を有するシート体で蓋われているものでは、果樹栽培部および／または野菜栽培部の建物内に自然の日光をふんだんに採り入れることができ、栽培する果実や野菜を好適に育むことができ、不必要な照明費用を節約することもできる。
【００１７】
そして、水耕栽培部に配備された、発光装置、送風装置および散水装置に所定の制御信号を出力する制御装置を備えているものでは、この制御装置が、発光装置に対しては水耕栽培部で栽培されている水稲に向けて稲妻様光を照射させ、かつ、送風装置に対しては秒速１０ｍ以上秒速３０ｍ以下の風を水稲に向けて送風させ、かつ、散水装置に対しては１時間当たり２０ｍｍ〜３０ｍｍの雨量に相当する水を水稲に向けて散水させるので、雷鳴と台風の雰囲気を水稲に対し人工的に与えることができる。これによって、水稲の周囲環境を自然界に近づけられるので、水稲の育成を促進させることができる。因みに、送風の風速が秒速１０ｍを下回り且つ散水量が１時間当たり２０ｍｍを下回ると、台風暴風雨の雰囲気を醸し出せない。一方、送風の風速が秒速３０ｍを上回り且つ散水量が１時間当たり３０ｍｍを上回ると、栽培中の水稲が横倒しにされて水中に浸漬したままとなり致命的なダメージを受けるおそれがある。
【図面の簡単な説明】
【００１８】
【図１】本考案の一実施形態に係る農作物栽培建物を示す図であって、（ａ）は側面図、（ｂ）は（ａ）におけるＡ−Ａ線矢視図である。
【図２】前記農作物栽培建物の内部構造を側面から視た概略構成図である。
【図３】前記農作物栽培建物の内部構造を階ごとに平面に見た概略構成図である。
【図４】前記農作物栽培建物の制御系統を示すブロック構成図である。
【図５】前記農作物栽培建物における１階の水耕栽培部の動作を側面から見た状態説明図である。
【考案を実施するための形態】
【００１９】
本考案の実施形態を図面に基づいて説明する。尚、以下に述べる実施形態は本考案を具体化した一例に過ぎず、本考案の技術的範囲を限定するものでない。図１は本考案の一実施形態に係る農作物栽培建物を示す図であって、（ａ）は側面図、（ｂ）は（ａ）におけるＡ−Ａ線矢視図、図２は前記農作物栽培建物の内部構造を側面から視た概略構成図、図３は前記農作物栽培建物の内部構造を階ごとに平面に見た概略構成図である。
各図において、この実施形態に係る農作物栽培建物１は、地面Ｄから立設された支柱４１，４１，４１，４１により構造補強された箱状の建物２を備えている。また、建物２内は、４つの床Ｒ１〜Ｒ４が支柱４１，４１，４１，４１に固設されて１階Ｆ１〜４階Ｆ４として積み上げられている。そして、１階Ｆ１の床Ｒ１には水Ｗを貯留する水田９が形成されて成る水耕栽培部１０が設けられている。この水耕栽培部１０の一端側には、水Ｗおよび農業用車両１４を入れるための入口部１５が形成されている。水田９の他端側には、水Ｗと農業用車両１４を出すことのできる出口部１６が形成されている。そして、水耕栽培部１０には、それぞれ後で詳述する、発光装置２３、送風装置２４および散水装置２５が配備されている。２階Ｆ２と３階Ｆ３の床Ｒ２，Ｒ３には、栽培用土Ｅが敷かれて成る果樹栽培部１１，１２が設けられている。また、階Ｆ４の床Ｒ４上には、野菜栽培部１３が設けられている。この建物２の１階Ｆ１の敷地面積は１反（約１０００平方米）であり、１階１Ｆ〜４階Ｆ４までの合計栽培面積はベルトコンベア設置面積を含めて４反（約４０００平方米）分と、比較的広い。また、水耕栽培部１０の水田９の搬入側には、近隣の取水場からの水Ｗを受ける受水路４３が連結され、搬出側には排水路４４が連絡されている。
【００２０】
果樹栽培部１１，１２および野菜栽培部１３には、それぞれ、栽培資材搬入口１７と農作物搬出口１８が形成されている。２階Ｆ２〜４階Ｆ４において、栽培資材搬入口１７と農作物搬出口１８とを結ぶ床Ｒ２〜Ｒ４上には、ベルトコンベア１９が横設されている。各ベルトコンベア１９は、ローラ１９Ａ，１９Ｂ間にベルトが無端状に架け回されており、いずれかのローラがモータ１９Ｃにより回転駆動されるようになっている。野菜栽培部１３においては、例えば３基のベルトコンベア１９，１９，１９が並列に配置されていて、搬出側端部において左右両側のベルトコンベア１９，１９から中央のベルトコンベア１９に野菜および土を移すための移動用コンベア２０，２０が配備されている。ベルトコンベア１９は、搬入側において各階の床Ｒ２〜Ｒ４に枢支されたローラ１９Ａと、搬出側で床Ｒ２〜Ｒ４に枢支されたローラ１９Ｂとの間にベルトが架け回されることにより横設されている。尚、野菜栽培部１３に配備されるベルトコンベア１９のベルトの材質は、栽培用土Ｅを上下に通過させることなく上面に載せて保持できるものであれば特に限定されないが、例えば通気性ベルトが好適である。
【００２１】
これらの果樹栽培部１１，１２および野菜栽培部１３を形成する建物２の左右の側壁２Ｂには、側面開口２１，２１，２１，・・・が形成されている。そして、これらの側面開口２１は、透光性を有するシート体２２で蓋われている。これにより、各室内に多量の光を採り込めるようになっている。また、果実栽培部１１，１２および野菜栽培部１３における建物２の前後の壁には開口部（図示省略）がそれぞれ形成されており、これらの開口部には開閉用モータ５１により開閉駆動される開閉蓋３５（２）〜３５（４）が設けられている。そして、建物２の搬入側には、支柱４２，４２で構造補強された搬入用エレベータ３が付設されている。搬入用エレベータ３内は、上下連通するリフト昇降用空間３Ａが形成されている。搬出側にも、支柱４２，４２で構造補強された搬出用エレベータ４が付設されている。搬出用エレベータ４内は、上下連通するリフト昇降用空間４Ａが形成されている。
【００２２】
前記のリフト昇降用空間３Ａには、栽培用土Ｅや種苗などを運搬昇降するリフトカーゴ２７が配備されている。このリフトカーゴ２７は、建物２の最上階のモータ室３４に設置されたリフトモータ２９により巻き上げられるワイヤ３１を介して昇降するようになっている。一方、リフト昇降用空間４Ａにも、リフトカーゴ２８が配備されている。リフトカーゴ２８はリフトモータ３０により巻き上げられるワイヤ３２を介して昇降するようになっている。
【００２３】
そして、栽培用土Ｅや種苗などをリフトカーゴ２７へ載せるための栽培資材搬入口１７が、搬入用エレベータ３の最下部に形成されている。搬出用エレベータ４の最下部には、リフトカーゴ２８に回収された野菜Ｐ（例えばキャベツ）、柿Ｑの実、梅Ｎの実、廃土などを建物２外へ搬出するための農作物搬出口１８が設けられている。
【００２４】
他方、搬出側における各ベルトコンベア１９の直上には、野菜収穫手段となるカッター刃４９が配備されている。カッター刃４９は、例えば野菜Ｐを根との境界部分で切断できる高さ位置に設置されている。カッター刃４９により切断された野菜Ｐと、根および栽培用土Ｅとは、リフトカーゴ２８の直前位置で別々に回収されるようになっている。
【００２５】
そして、水ポンプ３６はその吸込側の吸込管３７が貯水槽３３と配管接続され、その吐出側が吐出管３８を介して各階の栽培用土Ｅに散水する散水ノズル（図示省略）および水耕栽培部１０の散水装置２５と配管接続されている。貯水槽３３は水耕栽培部１０の地下に埋設された高さ３ｍの槽であり、建物２の上面２Ａの端部に設置された雨樋３９で集められた雨水が導水管４０を通って槽内に貯留するようになっている。
【００２６】
更に、各階Ｆ１〜Ｆ４の天井Ｓ１〜Ｓ４には、昼光灯である照明装置７（１）〜７（４）が取り付けられている。そして、建物２の屋上２Ａには、照明装置７（１）〜７（４）、発光装置２３、送風装置２４、水ポンプ３６のモータ、リフトモータ２９，３０、ベルトコンベア１９のモータ１９Ｃ、移動用コンベア２０のモータ、仕切板４５のモータ４６などに電力を供給する太陽光発電装置６，６，６，・・・が配備されている。これらの太陽光発電装置６，６，６，・・・は、極力、太陽を向いているように、南向きに傾斜した架台５を介して屋上２Ａに配備されている。また、太陽光発電装置６，６，６，・・・により発電された電力は、送電線（図示省略）を介して蓄電池８に蓄えられたのち、商用電源と併用して使用される。
【００２７】
上記した農作物栽培建物１は、図４に示す制御装置５０により制御される。この制御装置５０はマイクロコンピュータなどの中央演算装置ＣＰＵを中心として構成され、プログラムデータおよび各種データを読み書き自在に記憶するメモリＭ、内部計時機能を有するクロック部Ｋ、これらの間に介在してデータのやり取りを調整するデータバスＤＢを備えている。データバスＤＢの入力側（Ｉ）には、キーボードやマウスなどの入力装置４８、各栽培部１０，１１，１２，１３内の温度をそれぞれ検出する温度センサＴ１〜Ｔ４、各栽培部１０，１１，１２，１３内の湿度をそれぞれ検出する湿度センサＨ１〜Ｈ４、水田９内の水Ｗの水位を検出する水位計４７が信号接続されている。
【００２８】
また、データバスＤＢの出力側（Ｏ）には、照明装置７（１）〜７（４）、開閉蓋３５（２）〜３５（４）を開閉駆動するモータ、リフトモータ２９，３０、各ベルトコンベア１９用の駆動モータ１９Ｃ、受水路４３の仕切板４５を開閉駆動するモータ４６、水耕栽培部１０の発光装置２３、水耕栽培部１０の送風装置２４、および水ポンプ３６が、作動制御可能に信号接続されている。入力側（Ｉ）の入力装置４８からは、各室の目標温度データ、目標湿度データ、果樹栽培部１１，１２および野菜栽培部１３での噴霧予定時刻データ、水耕栽培部１０の発光装置２３、送風装置２４および散水装置２５の作動予定時期データ、水田９の水位ｔの目標値データなどが、操作者により入力されメモリＭに格納される。
【００２９】
上記のように構成された農作物栽培建物１の作用を次に説明する。
ここでは、２階Ｆ２の果実栽培部１１で例えば８本×４列＝３２本の柿Ｑ，Ｑ，Ｑ，・・・が栽培され、３階Ｆ３の果実栽培部１２で例えば７本×２列＝１４本の梅Ｎ，Ｎ，Ｎ，・・・が栽培され、４階Ｆ４の野菜栽培部１３で多数の野菜Ｐ，Ｐ，Ｐ，・・・としてキャベツが栽培される例を示す（図３参照）。
まず、操作者が目標値データを制御装置５０の入力装置４８から入力すると、これらの目標値データは制御装置５０の中央演算装置ＣＰＵに取り込まれて設定される。中央演算装置ＣＰＵは、設定された目標値データに基づいて通常運転を行なう。通常運転時は、あるいは各階の温度センサＴ２〜Ｔ４と湿度センサＨ２〜Ｈ４により検出された温度データおよび湿度データと、外気温度および外気湿度とに基づいて、検出温度および検出湿度を目標温度および目標湿度に近づけるために、開閉用モータ５１の駆動によって開閉蓋３５（２）〜３５（４）を個別に開閉する。各階の湿度の制御は、水ポンプ３６を制御して各階の噴霧ノズルからの水噴射量を調整することによっても行なわれる。水耕栽培部１０については、１階Ｆ１内の検出温度および検出湿度に基づいて送風装置２４や散水装置２５の制御量を調整する。日夜における光照度の調整は、照明装置７（１）〜７（４）へ供給される電力量により行なう。水田９の水Ｗの水位ｈは、目標水位データに近づけるように、モータ４６を制御して仕切板４５を開閉することにより、受水路４３から水田９に流入する水Ｗの流入量を調整して行なう。
【００３０】
そうして、クロック部Ｋにより計時された時間データが、予め設定されている７月〜９月の設定日時データに達したとき、中央演算装置ＣＰＵは、発光装置２３に対して水耕栽培部１０で栽培されている水稲Ｌ，Ｌ，Ｌ，・・・に向けて稲妻様光を照射させる制御信号を出力して間欠的な稲妻光を発光させる。これらにより、水耕栽培部１０内の雰囲気を、雷雨と台風に遭遇したような自然に近い環境にさせるのである。また、送風装置２４に対しては秒速１０ｍ以上秒速３０ｍ以下の風を水稲Ｌ，Ｌ，Ｌ，・・・に向けて送風させる制御信号を出力して２４に強風（矢印Ｇ）を吹き出させる。更に、水ポンプ３６および止水弁（図示省略）に対しては１時間当たり２０ｍｍ〜３０ｍｍの雨量に相当する水を水稲Ｌ，Ｌ，Ｌ，・・・に向けて散水させるように制御信号を出力して散水装置２５から貯水槽３３の水を汲み上げて噴射させるのである。
【００３１】
以上に説明したように、この実施形態に係る農作物栽培建物１によれば、水耕栽培部１０が１階の床に設けられ果樹栽培部１１，１２および野菜栽培部１３が２階以上の床に設けられているので、使用する土地の面積が１反と小さいにも拘わらず、その４倍もの面積で水稲Ｌ、柿Ｑ、梅Ｎ、野菜Ｐなどの栽培を行なうことができる。そのうえ、水田９を有する水耕栽培部１０が１階に設けられているので、水耕栽培部１０への水Ｗや水耕用資機材の搬入、搬出も簡単に行なうことができる。
【００３２】
また、水耕栽培部１０の一端側に水Ｗおよび農業用車両１４を入れるための入口部１５が形成され、水田９の他端側に水Ｗおよび農業用車両１４などを出すための出口部１６が形成されているので、建物２の近隣の取水場から簡単かつ費用をかけることなく入口部１５から水耕栽培部１０に水Ｗを導くことができる。また、水耕栽培部１０への水耕用資機材、幼苗あるいは農業用車両１４などの搬入、搬出も簡単に行なうことができる。特に、農業用車両１４の出し入れができるということは、人力では困難な水稲栽培を効率よく行なううえで大きな利点となる。
【００３３】
そして、各階の天井Ｓ１〜Ｓ４に照明装置７（１）〜７（４）が配備され、これらの照明装置７（１）〜７（４）に電力を供給する太陽光発電装置６が建物２の屋上２Ａに配備されているので、照明装置７（１）〜７（４）の照光により水耕栽培部１０、果樹栽培部１１，１２および野菜栽培部１３の日照時刻および時間を自在に設定できる。これは、人工的な栽培施設での農産物の栽培に便利であり有用となる。また、照明装置７（１）〜７（４）の消費電力は太陽光発電装置６からの電力で賄われるので、照明コストを安価に抑えることができる。
【００３４】
更に、果樹栽培部１１，１２および野菜栽培部１３において栽培資材搬入口１７と農作物搬出口１８とを結ぶ床Ｒ２〜Ｒ４上にベルトコンベア１９が横設されているので、各栽培部１１〜１３内での栽培用資機材の搬入および運搬が簡便になるし、収穫後の果樹Ｑ，Ｎの実や野菜Ｐの運搬、搬出も軽力で簡単に行なうことができる。
【００３５】
また、果樹栽培部１１，１２および野菜栽培部１３の建物２の側壁２Ｂに形成された側面開口２１が、透光性を有するシート体２２で蓋われているので、果樹栽培部１１，１２および野菜栽培部１３の建物２内に自然の日光をふんだんに採り入れることができ、栽培する果樹Ｑ，Ｎの実や野菜Ｐを好適に育むことができ、不必要な照明費用を節約することもできる。
【００３６】
そして、制御装置５０が、発光装置２３に対しては水耕栽培部１０で栽培されている水稲Ｌに向けて稲妻様光を照射させ、かつ、送風装置２４に対しては秒速１０ｍ以上秒速３０ｍ以下の風を水稲Ｌに向けて送風させ、かつ、散水装置２５に対しては１時間当たり２０ｍｍ〜３０ｍｍの雨量に相当する水を水稲Ｌに向けて散水させるので、雷鳴と台風の雰囲気を水稲Ｌに人工的に与えることができる。これによって、水稲Ｌが致命的なダメージを受けない範囲で水稲Ｌの周囲環境を苛酷な自然界に近づけられるから、丈夫な水稲Ｌの育成を促進させることができる。この作動時期は、水稲開花時期（品種によるが７月初からお盆くらいまで）から１か月間、および稲が実った時期（９月１日前後）から１ヶ月間の間の適時に行なうとよい。
【００３７】
尚、上記の実施形態では、２階Ｆ２で柿Ｑを栽培し、３階Ｆ３で梅Ｎを栽培し、４階Ｆ４で野菜Ｐを栽培するようにしたが、本考案の農作物栽培建物はそれに限定されない。例えば、２階Ｆ２で野菜Ｐを栽培し、３階Ｆ３で柿Ｑを栽培し、４階Ｆ４で梅Ｎを栽培するようにしたりでき、その他の上下配置も任意である。
【００３８】
この農作物栽培建物１の野菜栽培部１３で栽培される野菜Ｐとしては、特に限定されないが、自動収穫式であるため、例えばキャベツ、レタス、白菜、小松菜、ホウレン草、チンゲン菜、水菜などが挙げられる。また、野菜栽培部１３では、根の部分が食される、例えばニンジン、ゴボウ、ニンニクなどの根菜も栽培可能であり、その場合は搬出の際に栽培用土Ｅから切断根菜を分別して回収すればよい。
【００３９】
因みに、紀南地方で将来予定される新幹線工事あるいは伊勢地方で予定されているリニア新幹線工事の際に山の切り崩しなどで出された土を、この農作物栽培建物１の果実栽培部１１，１２および野菜栽培部１３の栽培用土Ｅとして用いれば、一石二鳥になること受け合いである
【００４０】
尚、本考案は、前記実施の形態に限定されるものではなく、本考案の分野における通常の知識を有する者であれば想到し得る、各種変形、修正を含む、本考案の要旨を逸脱しない範囲の設計変更があっても、本考案に含まれることは勿論である。
【符号の説明】
【００４１】
１  農作物栽培建物
２  建物
２Ａ  屋上
２Ｂ  側壁
６  太陽光発電装置
７（１）〜７（４）  照明装置
９  水田
１０  水耕栽培部
１１  果樹栽培部
１２  果樹栽培部
１３  野菜栽培部
１４  農業用車両
１５  入口部
１６  出口部
１７  栽培資材搬入口
１８  農作物搬出口
１９  ベルトコンベア
２１  側面開口
２２  シート体
２３  発光装置
２４  送風装置
２５  散水装置
３５（２）〜３５（４）  開閉蓋
３６  水ポンプ
４１  支柱
４２  支柱
４３  受水路
４４  排水路
４５  仕切板
４６  モータ
４７  水位計
４８  入力装置
５０  制御装置
５１  開閉用モータ
ＣＰＵ  中央演算装置
Ｅ  栽培用土
ｈ  水位
Ｋ  クロック部
Ｌ  水稲
Ｎ  梅
Ｐ  野菜
Ｑ  柿
Ｒ１〜Ｒ４  床
Ｓ１〜Ｓ４  天井
Ｗ  水
【図１】
0003203344.tif 000003
【図２】
0003203344.tif 000004
【図３】
0003203344.tif 000005
【図４】
0003203344.tif 000006
【図５】
0003203344.tif 000007